【手続補正書】
【提出日】平成20年6月3日(2008.6.3)
【手続補正１】
【補正対象書類名】特許請求の範囲
【補正対象項目名】全文
【補正方法】変更
【補正の内容】
【特許請求の範囲】
【請求項１】
樹脂の射出によって成形された射出成形品において、
上記射出成形品の一部領域である第一の領域と、
上記射出成形品の他の一部領域である第二の領域と、を備え、
上記第二の領域は、上記第一の領域から連続して梁状に張り出し、複数の凹凸が該第二の領域の両面に繰り返し形成されていることを特徴とする射出成形品。
【請求項２】
樹脂の射出によって成形された射出成形品において、
上記射出成形品の一部領域である第一の領域と、
上記射出成形品の他の一部領域である第二の領域と、を備え、
上記第二の領域は、上記第一の領域で囲まれた中にあり、該第二の領域の両面には複数の凹凸が繰り返し形成されていることを特徴とする射出成形品。
【請求項３】
上記第二の領域の両面の上記複数の凹凸は、同一形状であることを特徴とする請求項１〜２記載の射出成形品。
【請求項４】
上記凹凸の形状が、一方の面とその裏面との間でピッチのずれた波形状であることを特徴とする請求項１〜３記載の射出成形品。
【請求項５】
上記第一の領域は、円筒形状を有していることを特徴とする請求項１〜４記載の射出成形品。
【請求項６】
上記複数の凹凸の設けられた一方の面は、遮光線であることを特徴とする請求項１〜５記載の射出成形品。
【請求項７】
上記第二の領域は、平板状に延出して形成されていることを特徴とする請求項１〜６記載の射出成形品。
【請求項８】
上記第二の領域は、円筒面を有していることを特徴とする請求項１〜７記載の射出成形品。
【請求項９】
当該射出成形品は、円筒形状部を含み、上記第一の領域が該円筒形状部であり、上記第二の領域は該円筒形状部から張り出した片持ち梁状部分であることを特徴とする請求項１、３〜７記載の射出成形品。
【請求項１０】
上記第二の領域の片持ち梁状部分は、板状に張り出していることを特徴とする請求項９記載の射出成形品。
【請求項１１】
上記片持ち梁状部分は円弧状の断面を有することを特徴とする請求項９記載の射出成形品。
【請求項１２】
上記第二の領域は、両側を一対の長穴で上記第一の領域と分離されて両持ち梁状に設けられていることを特徴とする請求項２記載の射出成形品。
【請求項１３】
当該射出成形品は、円筒形状部を含み、上記第一の領域が該円筒形状部であり、上記第二の領域は該円筒形状部中に両持ち梁状に設けられていることを特徴とする請求項１２記載の射出成形品。
【請求項１４】
樹脂の射出によって成形された断面コの字状の成形品の面に複数の凹凸形状が形成され、当該凹凸形状と対応する複数の凹凸形状が前記面の裏面に形成されていることを特徴とする射出成形品。
【請求項１５】
前記成形品が矩形状で平板状の底面部分と、底面部分から互いに平行に、この底面部分から直角に突き出した一対の平抜状の側壁部分を有して形成され、これら底面部分及び側壁部分の内側面、外側面には長手方向の軸線と直角方向に複数の凹凸形状がそれぞれ形成されていることを特徴とする請求項１４記載の射出成形品
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】変更
【補正の内容】
【００１５】
請求項１記載の発明の射出成形品は、樹脂の射出によって成形された射出成形品において、上記射出成形品の一部領域である第一の領域と、上記射出成形品の他の一部領域である第二の領域と、を備え、上記第二の領域は、上記第一の領域から連続して梁状に張り出し、複数の凹凸が該第二の領域の両面に繰り返し形成されていることを特徴とする。
【手続補正９】
【補正対象書類名】明細書
【補正対象項目名】００１６
【補正方法】変更
【補正の内容】
【００１６】
請求項２記載の発明は、樹脂の射出によって成形された射出成形品において、上記射出成形品の一部領域である第一の領域と、上記射出成形品の他の一部領域である第二の領域と、を備え、上記第二の領域は、上記第一の領域で囲まれた中にあり、該第二の領域の両面には複数の凹凸が繰り返し形成されていることを特徴とする。
【手続補正１０】
【補正対象書類名】明細書
【補正対象項目名】００１７
【補正方法】変更
【補正の内容】
【００１７】
請求項３記載の発明は、請求項１〜２記載の射出成形品であって、上記第二の領域の両面の上記複数の凹凸は、同一形状であることを特徴とする。
【手続補正１１】
【補正対象書類名】明細書
【補正対象項目名】００１８
【補正方法】変更
【補正の内容】
【００１８】
請求項４記載の発明は、請求項１〜３記載の射出成形品であって、上記凹凸の形状が、一方の面とその裏面との間でピッチのずれた波形状であることを特徴とする前記面及びその裏面が片持ち梁部分であることを特徴とする。
【手続補正１２】
【補正対象書類名】明細書
【補正対象項目名】００１９
【補正方法】変更
【補正の内容】
【００１９】
請求項５記載の発明は、請求項１〜４記載の射出成形品であって、上記第一の領域は、円筒形状を有していることを特徴とする。
【手続補正１３】
【補正対象書類名】明細書
【補正対象項目名】００２０
【補正方法】変更
【補正の内容】
【００２０】
請求項６記載の発明は、請求項１〜５記載の射出成形品であって、上記複数の凹凸の設けられた一方の面は、遮光線であることを特徴とする。
【手続補正１４】
【補正対象書類名】明細書
【補正対象項目名】００２１
【補正方法】変更
【補正の内容】
【００２１】
請求項７記載の発明は、請求項１〜６記載の射出成形品であって、上記第二の領域は、平板状に延出して形成されていることを特徴とする。
【手続補正１５】
【補正対象書類名】明細書
【補正対象項目名】００２２
【補正方法】変更
【補正の内容】
【００２２】
請求項８記載の発明は、請求項１〜７記載の射出成形品であって、上記第二の領域は、円筒面を有していることを特徴とする。
【手続補正１６】
【補正対象書類名】明細書
【補正対象項目名】００２３
【補正方法】変更
【補正の内容】
【００２３】
請求項９記載の発明は、請求項１、３〜７記載の射出成形品であって、円筒形状部を含み、上記第一の領域が該円筒形状部であり、上記第二の領域は該円筒形状部から張り出した片持ち梁状部分であることを特徴とする。
【手続補正１７】
【補正対象書類名】明細書
【補正対象項目名】００２４
【補正方法】変更
【補正の内容】
【００２４】
請求項１０記載の発明は、請求項９記載の射出成形品であって、上記第二の領域の片持ち梁状部分は、板状に張り出していることを特徴とする。
【手続補正１８】
【補正対象書類名】明細書
【補正対象項目名】００２５
【補正方法】変更
【補正の内容】
【００２５】
請求項１１記載の発明は、請求項９記載の射出成形品であって、上記片持ち梁状部分は円弧上の断面を有することを特徴とする。
【手続補正１９】
【補正対象書類名】明細書
【補正対象項目名】００２６
【補正方法】変更
【補正の内容】
【００２６】
請求項１２記載の発明は、請求項２記載の射出成形品であって、上記第二の領域は、両側を一対の長穴で上記第一の領域と分離されて両持ち梁状に設けられていることを特徴とする。
【手続補正２０】
【補正対象書類名】明細書
【補正対象項目名】００２７
【補正方法】変更
【補正の内容】
【００２７】
請求項１３記載の発明は、請求項１２記載の射出成形品であって、上当該射出成形品は、円筒形状部を含み、上記第一の領域が該円筒形状部であり、上記第二の領域は該円筒形状部中に両持ち梁状に設けられていることを特徴とする。
【手続補正２１】
【補正対象書類名】明細書
【補正対象項目名】００２８
【補正方法】変更
【補正の内容】
【００２８】
請求項１４記載の発明は、樹脂の射出によって成形された断面コの字状の成形品の面に複数の凹凸形状が形成され、当該凹凸形状と対応する複数の凹凸形状が前記面の裏面に形成されていることを特徴とする。
【手続補正２２】
【補正対象書類名】明細書
【補正対象項目名】００２９
【補正方法】変更
【補正の内容】
【００２９】
請求項１５記載の発明は、請求項１４記載の射出成形品であって、前記成形品が矩形状で平板状の底面部分と、底面部分から互いに平行に、この底面部分から直角に突き出した一対の平抜状の側壁部分を有して形成され、これら底面部分と側壁部分の内側面と外側面とには長手方向の軸線と直角方向に複数の凹凸形状がそれぞれ形成されていることを特徴とする。
【手続補正２３】
【補正対象書類名】明細書
【補正対象項目名】００３１
【補正方法】削除
【補正の内容】
【手続補正２４】
【補正対象書類名】明細書
【補正対象項目名】００３２
【補正方法】削除
【補正の内容】
【手続補正２５】
【補正対象書類名】明細書
【補正対象項目名】００３３
【補正方法】削除
【補正の内容】
【手続補正２６】
【補正対象書類名】明細書
【補正対象項目名】００３４
【補正方法】削除
【補正の内容】
【手続補正２７】
【補正対象書類名】明細書
【補正対象項目名】００３５
【補正方法】変更
【補正の内容】
【００３５】
請求項１、２記載の発明では、第一の領域から連続して梁状に張り出した第二の領域の両面に複数の凹凸が繰り返し形成されて、第二の領域に反りが発生することがないため、良好な射出成形品とすることができる。成形時における樹脂の収縮率の差が第二の領域の両面で発生することがなくなる。このため、反り等の変形が発生することがなく、良好な形状の射出成形品が得られる。
【手続補正２８】
【補正対象書類名】明細書
【補正対象項目名】００３６
【補正方法】変更
【補正の内容】
【００３６】
請求項３記載の発明では、第二の領域の両面の複数の凹凸が同一形状であるため、射出成形品内部の樹脂温度分布が略対称となり、樹脂の成形収縮率の差が生じることがない。そのため、第二の領域に反りが発生することがなく、良好な射出成形品が得られる。
【手続補正２９】
【補正対象書類名】明細書
【補正対象項目名】００３７
【補正方法】変更
【補正の内容】
【００３７】
請求項４記載の発明では、凹凸形状における波状のピッチがずれることにより、面及びその裏面の肉厚を確保することができ、成形性を向上させることができる。
【手続補正３０】
【補正対象書類名】明細書
【補正対象項目名】００３８
【補正方法】変更
【補正の内容】
【００３８】
請求項５記載の発明では、第一の領域が円筒形状であっても、円筒形状の第一の領域に反りが発生することがないため、良好な射出成形品が得られる。
【手続補正３１】
【補正対象書類名】明細書
【補正対象項目名】００３９
【補正方法】変更
【補正の内容】
【００３９】
請求項６の発明では、複数の凹凸の設けられた一方の面が遮光線であるため、その面での光の反射を防ぐことができる。
【手続補正３２】
【補正対象書類名】明細書
【補正対象項目名】００４０
【補正方法】変更
【補正の内容】
【００４０】
請求項７記載の発明では、平板状に延出する第二の領域においても反りが発生することがなく、良好な射出成形品が得られる。
【手続補正３３】
【補正対象書類名】明細書
【補正対象項目名】００４１
【補正方法】変更
【補正の内容】
【００４１】
請求項８記載の発明では、円筒面を有する第二の領域においても反りが発生することがないため、良好な射出成形品が得られる。
【手続補正３４】
【補正対象書類名】明細書
【補正対象項目名】００４２
【補正方法】変更
【補正の内容】
【００４２】
請求項９記載の発明では、円筒形状部の第一の領域、片持ち梁状部分の第二の領域のいずれにおいて反りが発生することがないため、良好な射出成形品が得られる。
【手続補正３５】
【補正対象書類名】明細書
【補正対象項目名】００４３
【補正方法】変更
【補正の内容】
【００４３】
請求項１０記載の発明では、板状に張り出した片持ち梁状部分の第二の領域において反りが発生することがないため、良好な射出成形品が得られる。
【手続補正３６】
【補正対象書類名】明細書
【補正対象項目名】００４４
【補正方法】変更
【補正の内容】
【００４４】
請求項１１記載の発明では、円弧状の断面で片持ち梁状部分の第二の領域において反りが発生することがないため、良好な射出成形品が得られる。
【手続補正３７】
【補正対象書類名】明細書
【補正対象項目名】００４５
【補正方法】変更
【補正の内容】
【００４５】
請求項１２記載の発明では、両側を一対の長穴で第一の領域と分離された両持ち梁状の第二の領域において反りが発生することがないため、良好な射出成形品が得られる。
【手続補正３８】
【補正対象書類名】明細書
【補正対象項目名】００４６
【補正方法】変更
【補正の内容】
【００４６】
請求項１３記載の発明では、射出成形品は、円筒形状部を含み、円筒形状部の第一の領域、円筒形状部中の両持ち梁状の第二の領域のいずれにおいても反りが発生することがないため、良好な射出成形品が得られる。
【手続補正３９】
【補正対象書類名】明細書
【補正対象項目名】００４７
【補正方法】変更
【補正の内容】
【００４７】
請求項１４記載の発明では、射出成形された断面コの字状の成形品の面に凹凸形状が形成されるのに加えて、その裏面に凹凸形状が形成されていることにより、金型への射出成形時における面及びその裏面の樹脂の温度分布が略対称となるため、成形時における樹脂の収縮率の差が面及びその裏面で発生することがなくなる。このため、反り等の変形が発生することがなく、良好な形状の射出成形品が得られる。
【手続補正４０】
【補正対象書類名】明細書
【補正対象項目名】００４８
【補正方法】変更
【補正の内容】
【００４８】
請求項１５記載の発明では、底面部分及び側壁部分の内側面、外側面にいずれも複数の凹凸がそれぞれ形成され、底面部分、側壁部分のいずれにおいても反りが発生することがないため、良好な射出成形品が得られる。